(57)【要約】      （修正有）【課題】被検者の生体情報の測定結果をわかりやすく表示できる生体測定装置を提供する。【解決手段】生体測定装置は、被検者の左部位の左部位生体情報、右部位の右部位生体情報の生体情報をそれぞれ計測する生体情報測定部と、測定位置に位置する被検者から見て左側に配置された左表示部６０Ｌ、右側に配置された右表示部６０Ｒと、各表示部６０Ｌ，６０Ｒの表示態様を第１モード、第２モードの間で切り替える演算制御部とを備え、演算制御部は、第１モードでは、左部位生体情報を左表示部６０Ｌに表示し、かつ、右部位生体情報を右表示部６０Ｒに表示し、第２モードでは、左部位生体情報を右表示部６０Ｒに表示し、かつ、右部位生体情報を左表示部６０Ｌに表示する。【選択図】図３
2014036717.tif 000002
【特許請求の範囲】
【請求項１】
被検者の左部位の左部位生体情報、右部位の右部位生体情報の生体情報をそれぞれ計測する生体情報測定部と、
測定位置に位置する被検者から見て左側に配置された左表示部、右側に配置された右表示部と、
前記各表示部の表示態様を第１モード、第２モードの間で切り替える制御部とを備え、
前記制御部は、
前記第１モードでは、前記左部位生体情報を前記左表示部に表示し、かつ、前記右部位生体情報を前記右表示部に表示し、
前記第２モードでは、前記左部位生体情報を前記右表示部に表示し、かつ、前記右部位生体情報を前記左表示部に表示すること、
を特徴とする生体測定装置。
【請求項２】
請求項１に記載の生体測定装置において、
前記左表示部、前記右表示部が設置されたケースと、
被検者の左側に前記左表示部を配置され、右側に前記右表示部を配置した正配置で前記ケースを着脱可能に取り付けるケース取り付け部と、
前記ケースが前記正配置で前記ケース取り付け部に取り付けられているか否かを検出する検出部とを備え、
前記制御部は、
前記検出部の出力に基づいて、前記第１モード及び前記第２モードを切り替えること、
を特徴とする生体測定装置。
【請求項３】
請求項２に記載の生体測定装置において、
前記制御部は、
前記検出部の出力に基づいて、前記ケースが前記ケース取り付け部に取り付けられていると判定した場合には、前記第１モードを選択し、
前記検出部の出力に基づいて、前記ケースが前記ケース取り付け部から取り外されていると判定した場合には、前記第２モードを選択すること、
を特徴とする生体測定装置。
【請求項４】
請求項２又は請求項３に記載の生体測定装置において、
前記ケース取り付け部は、
前記ケースの前記左表示部、前記右表示部が左右逆転するように前記ケースを回転させた反転配置で、前記ケースを装着可能であり、
前記検出部は、
前記反転配置である場合には、取り外されている状態と同様な検出を行うこと、
を特徴とする生体測定装置。
【請求項５】
請求項１から請求項４までのいずれかに記載の生体測定装置において、
前記左表示部、前記右表示部は、被検者の生体情報の測定値、評価情報、表示モードに関する情報の少なくとも１つを含むこと、
を特徴とする生体測定装置。
【請求項６】
請求項１から請求項５までのいずれかに記載の生体測定装置において、
前記生体情報測定部の被検者の左右の部位に対応した位置に設けられた目印と、
前記目印に対応した目印対応表示を前記右表示部又は前記左表示部に表示する目印対応表示部とを備え、
前記制御部は、
前記目印対応表示を、前記第１モード、前記第２モードの間で切り替えて、目印対応表示部に表示すること、
を特徴とする生体測定装置。
【発明の詳細な説明】
【技術分野】
【０００１】
本発明は、表示装置を有する生体測定装置に関するものである。
【背景技術】
【０００２】
従来、被検者の生体情報を、左右の部位毎に測定できる測定装置があった（例えば、特許文献１）。測定結果は、被検者が載置台の測定位置に位置した状態で、人体の模式図等とともに、表示部の左右に表示される。
しかし、被検者は、人体の模式図等が被検者の方を向いていると考えれば、例えば、左部位の測定結果が表示部の右側に表示されると認識する。これとは反対に、被検者は、人体の模式図等が被検者の鏡像であると考えれば、例えば、被検者の左部位の測定結果が表示部の左側に表示されると認識する。
このため、従来の測定装置は、表示部の測定結果の左右が把握しにくかった。
【先行技術文献】
【特許文献】
【０００３】
【特許文献１】特開２０１０−１１９０６号公報
【発明の概要】
【発明が解決しようとする課題】
【０００４】
本発明の課題は、被検者の生体情報の測定結果をわかりやすく表示できる生体測定装置を提供することである。
【課題を解決するための手段】
【０００５】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００６】
・第１の発明は、被検者（Ｐ１）の左部位の左部位生体情報、右部位の右部位生体情報の生体情報をそれぞれ計測する生体情報測定部（１１ａ，１２ａ，２１ａ，２２ａ，１１ｂ，１２ｂ，２１ｂ，２２ｂ，９１）と、測定位置に位置する被検者から見て左側に配置された左表示部（６０Ｌ）、右側に配置された右表示部（６０Ｒ）と、前記各表示部の表示態様を第１モード、第２モードの間で切り替える制御部（９３）とを備え、前記制御部は、前記第１モードでは、前記左部位生体情報を前記左表示部に表示し、かつ、前記右部位生体情報を前記右表示部に表示し、前記第２モードでは、前記左部位生体情報を前記右表示部に表示し、かつ、前記右部位生体情報を前記左表示部に表示すること、を特徴とする生体測定装置である。
・第２の発明は、第１の発明の生体測定装置において、前記左表示部（６０Ｌ）、前記右表示部（６０Ｒ）が設置されたケース（４０）と、被検者（Ｐ１）の左側に前記左表示部を配置され、右側に前記右表示部を配置した正配置で前記ケースを着脱可能に取り付けるケース取り付け部（８０）と、前記ケースが前記正配置で前記ケース取り付け部に取り付けられているか否かを検出する検出部（８３）とを備え、前記制御部（９３）は、前記検出部の出力に基づいて、前記第１モード及び前記第２モードを切り替えること、を特徴とする生体測定装置である。
・第３の発明は、第２の発明の生体測定装置において、前記制御部（９３）は、前記検出部（８３）の出力に基づいて、前記ケース（４０）が前記ケース取り付け部（８０）に取り付けられていると判定した場合には、前記第１モードを選択し、前記検出部の出力に基づいて、前記ケースが前記ケース取り付け部から取り外されていると判定した場合には、前記第２モードを選択すること、を特徴とする生体測定装置である。
・第４の発明は、第２又は第３の発明の生体測定装置において、前記ケース取り付け部（８０）は、前記ケース（４０）の前記左表示部（６０Ｌ）、前記右表示部（６０Ｒ）が左右逆転するように前記ケースを回転させた反転配置で、前記ケースを装着可能であり、前記検出部（８３）は、前記反転配置である場合には、取り外されている状態と同様な検出を行うこと、を特徴とする生体測定装置である。
・第５の発明は、第１から第４までのいずれかの発明の生体測定装置において、前記左表示部（６０Ｌ）、前記右表示部（６０Ｒ）は、被検者（Ｐ１）の生体情報の測定値、評価情報、表示モードに関する情報の少なくとも１つを含むこと、を特徴とする生体測定装置である。
・第６の発明は、第１から第５までのいずれかの発明の生体測定装置において、前記生体情報測定部の被検者（Ｐ１）の左右の部位に対応した位置に設けられた目印（２１１ｄ，２２１ｄ）と、前記目印に対応した目印対応表示を前記右表示部又は前記左表示部に表示する目印対応表示部（２６２ｂ〜２６２ｅ）とを備え、前記制御部は、前記目印対応表示を、前記第１モード、前記第２モードの間で切り替えて、目印対応表示部に表示すること、を特徴とする生体測定装置である。
【発明の効果】
【０００７】
本発明によれば、以下の効果を奏することができる。
・第１の発明は、第１モードでは、左部位生体情報を左表示部に表示し、かつ、右部位生体情報を右表示部に表示し、第２モードでは、左部位生体情報を右表示部に表示し、かつ、右部位生体情報を左表示部に表示する。これにより、表示モードを相互に変更して、被検者、検者等が分かりやすい方向に生体情報の表示を入れ替えて表示できる。
・第２の発明は、ケースが正配置でケース取り付け部に取り付けられているか否かに基づいて、第１モード及び第２モードを切り替えるので、ケースの着脱に応じて、モードを自動的に変更できる。
・第３の発明は、ケースがケース取り付け部に取り付けられている場合には、第１モードを選択して、被検者が見やすいように、左右に情報を表示できる。一方、ケースがケース取り付け部から取り外されている場合には、第２モードを選択して、被検者に対向するように位置する検者（看護師等）が見やすいように、生体情報を表示できる。
・第４の発明は、ケースが反転配置で装着された場合にも、第２モードを選択するので、この場合にも、被検者に対向するように位置する検者（看護師等）が見やすいように、生体情報を表示できる。
・第５の発明は、左表示部、右表示部は、被検者の生体情報の測定値、評価情報、表示モードに関する情報の少なくとも１つを含む。このため、これらの情報を、第１モード、第２モードを選択して、被検者、検者に対してわかりやすく表示できる。また、実際に表示されている表示モードを、被検者等に知らせることができる。
・第６の発明は、被検者の左右に部位に対応した目印を備え、目印に対応した目印対応表示を表示するので、被検者、検者等は、いずれの表示モードであっても、目印対応表示に基づいて、被検者の測定部位を判別できる。
【図面の簡単な説明】
【０００８】
【図１】第１実施形態の生体測定装置１の斜視図である。
【図２】第１実施形態の表示ケース４０の上面図である。
【図３】第１実施形態の第１モードの表示態様を説明する上面図である。
【図４】第１実施形態の第２モードの表示態様を説明する上面図である。
【図５】第１実施形態の表示ケース４０の取り付け形状を説明する図である。
【図６】第１実施形態の生体測定装置１のブロック図である。
【図７】第１実施形態の生体測定装置１の測定処理を示すフローチャートである。
【図８】第２実施形態の生体測定装置２０１の斜視図である。
【図９】第２実施形態の第１モードの表示態様を説明する上面図である。
【図１０】第２実施形態の第２モードの表示態様を説明する上面図である。
【発明を実施するための形態】
【０００９】
以下、図面等を参照して、本発明の実施形態について説明する。
（第１実施形態）
図１は、第１実施形態の生体測定装置１の斜視図である。
図１（ａ）は、表示ケース４０が正配置である状態の生体測定装置１の斜視図である。
図１（ｂ）は、表示ケース４０が反転配置である状態の生体測定装置１の斜視図である。
図２は、第１実施形態の表示ケース４０の上面図である。
図３は、第１実施形態の第１モードの表示態様を説明する上面図である。
図４は、第１実施形態の第２モードの表示態様を説明する上面図である。
実施形態及び図面では、被検者Ｐ１が支柱３０に対向して位置した状態を基準に、左右方向Ｘ、奥行方向Ｙ、鉛直方向Ｚとする。
また、実施形態では、図１（ａ）のように、被検者Ｐ１が表示部５０を見るように表示ケース４０が配置された状態を、正配置といい、図１（ｂ）のように、検者Ｐ２（被検者Ｐ１のトレーナ、看護師等）が表示部５０を見るように表示ケース４０が配置された状態を、反転配置という。
【００１０】
生体測定装置１は、被検者Ｐ１の生体インピーダンス、体重、体脂肪率等の生体情報を測定、算出する装置である。
図１に示すように、生体測定装置１は、測定台２、体重測定部１０、左足置き部１１、右足置き部１２、支柱３０、左グリップ２１、右グリップ２２、表示ケース４０を備える。
【００１１】
図１に示すように、測定台２は、測定時に被検者Ｐ１が乗る台である。被検者Ｐ１は、奥側Ｙ２を向いて測定台２に乗る。測定時の被検者Ｐ１のこの位置を、以下、測定位置という。
測定台２は、体重測定部１０、左足置き部１１、右足置き部１２、支柱３０が設けられている。測定時には、被検者Ｐ１は、左足置き部１１及び右足置き部１２に、それぞれ左足及び右足を乗せる。
体重測定部１０は、測定台２に乗った被検者Ｐ１の全身の体重を測定するために、測定台２内部に設けられた重量センサであり、例えばロードセル等である。
【００１２】
左足置き部１１は、電流印加電極１１ａ、電圧測定電極１１ｂを備える。
電流印加電極１１ａは、被検者Ｐ１に電流を流す電極である。電圧測定電極１１ｂは、電圧を測定する電極である。被検者Ｐ１が左足置き部１１に左足を乗せると、左足の裏面が電流印加電極１１ａ、電圧測定電極１１ｂに接触するようになっている。
右足置き部１２は、左足置き部１１と同様な電流印加電極１２ａ、電圧測定電極１２ｂを備える。被検者Ｐ１が右足置き部１２に右足を乗せると、右足の裏面が電流印加電極１２ａ、電圧測定電極１２ｂに接触するようになっている。
【００１３】
左グリップ２１は、電流印加電極２１ａ、電圧測定電極２１ｂを備える。
電流印加電極２１ａは、被検者Ｐ１に電流を印加する電極である。電圧測定電極２１ｂは、電圧を測定する電極である。被検者Ｐ１が左グリップ２１を左手で把持すると、左手の手のひらが電流印加電極２１ａ、電圧測定電極２１ｂに接触するようになっている。
右グリップ２２は、左グリップ２１と同様な電流印加電極２２ａ、電圧測定電極２２ｂを備える。被検者Ｐ１が右グリップ２２を右手で把持すると、右手の手のひらが電流印加電極２２ａ、電圧測定電極２２ｂに接触するようになっている。
【００１４】
左グリップ２１、右グリップ２２は、電気ケーブル２１ｃ，２２ｃによって支柱３０に一旦接続され、その後、表示ケース４０内の生体インピーダンス測定回路９１（図６参照）に電気的に接続されている。これは、表示ケース４０を取り外したり、反転配置の状態で、被検者Ｐ１が、左グリップ２１、右グリップ２２を把持できるようにするためである。
支柱３０は、測定台２の奥側Ｙ２に固定されている。支柱３０の先端には、表示ケース４０が着脱可能に装着される。
【００１５】
表示ケース４０は、ほぼ直方体の箱体である。表示ケース４０、支柱３０間は、電気ケーブル４０ｃ（図５参照）により、接続されている。
図２に示すように、表示ケース４０は、操作部４１、表示部５０を備える。
操作部４１は、被検者Ｐ１、検者Ｐ２が生体測定装置１を操作するための部材である。
操作部４１は、モード切り替えボタン４１ａ等を備える。
なお、操作部４１は、モード切り替えボタン４１ａの他に、被検者情報（身長、性別、年齢等）を入力したり、測定を開始したり、電源をオン、オフ等を操作したりするための複数のボタンを備える。
また、本実施形態ではモード切り換えボタン４１ａを含む操作部４１が、表示部５０とは別に設けられたハードキーによって実現されているが、操作部４１の全部又は一部が、表示部５０の内又は外に設けられたソフトキーであってもよいことはいうまでもない。
【００１６】
表示部５０は、被検者情報、測定結果等を表示する液晶表示装置等である。
表示部５０は、全身表示領域５１、部位別表示領域６０を有する。
全身表示領域５１は、被検者Ｐ１の全身の測定結果を表示する表示領域である。
全身表示領域５１は、全身体重表示領域５１ａ、全身体脂肪率表示領域５１ｂ、全身評価レベル表示領域５１ｃを有する。
全身体重表示領域５１ａは、被検者Ｐ１の全身の体重を表示する表示領域である。
全身体脂肪率表示領域５１ｂは、被検者Ｐ１の全身の体脂肪率を表示する表示領域である。
全身評価レベル表示領域５１ｃは、被検者Ｐ１の全身の肥満に関する評価情報を表示する表示領域である。評価情報は、演算制御部９３（図６参照）が、被検者情報、測定結果等に基づいて判定する。
本実施形態では、評価情報の一例として、評価レベルをグラフ表示する。全身評価レベル表示領域５１ｃは、評価レベルを、細い「−」、通常「０」、太い「＋」の３段階で表し、さらに、これらが３つの段階に再分割されている。つまり、全身評価レベル表示領域５１ｃは、評価レベルを９段階で表示する。被検者Ｐ１の評価レベルは、グラフを構成するバーを黒塗りして表す。
【００１７】
部位別表示領域６０は、被検者Ｐ１の各部位（体幹、左上肢、左下肢、右上肢、右下肢）の測定結果を表示する領域である。
部位別表示領域６０は、モード表示領域６１（６１ａ，６１ｂ，６１ｃ）、人体模式図６２、体幹測定値表示領域６５ａ、左上測定値表示領域６５ｂ、左下測定値表示領域６５ｃ、右上測定値表示領域６５ｄ、右下測定値表示領域６５ｅ、体幹評価レベル表示領域６６ａ、左上評価レベル表示領域６６ｂ、左下評価レベル表示領域６６ｃ、右上評価レベル表示領域６６ｄ、右下評価レベル表示領域６６ｅを有する。
モード表示領域６１は、表示中の表示モードを報知する表示領域である。モード表示領域６１は、選択モード表示領域６１ａ、左右方向表示領域６１ｂ，６１ｃを有する。
選択モード表示領域６１ａは、表示中の表示モードを「第１モード」（図３参照）、「第２モード」（図４参照）という文字で表示する。第１モード、第２モードの表示態様は、後述する。
左右方向表示領域６１ｂ，６１ｃは、選択モード表示領域６１ａの左右にそれぞれ設けられている。左右方向表示領域６１ｂ，６１ｃは、測定結果の表示と、被検者Ｐ１の各部位の左右方向Ｘとの対応を説明するための表示領域である。
人体模式図６２は、被検者Ｐ１の測定部位の測定結果を分りやすく示すための人体の模式図である。
【００１８】
体幹測定値表示領域６５ａ、左上測定値表示領域６５ｂ、左下測定値表示領域６５ｃ、右上測定値表示領域６５ｄ、右下測定値表示領域６５ｅは、生体情報として、各部位の体脂肪率を表示する表示領域である。なお、各表示部５０は、各部位の体脂肪率の他に、各部位の体重を表示してもよく、また、操作部４１の操作に応じて、各部位の体脂肪率及び各部位の体重を、相互に切り替えて表示してもよい。
体幹測定値表示領域６５ａは、人体模式図６２の上側の表示領域である。
左上測定値表示領域６５ｂは、人体模式図６２の左上の表示領域である。
左下測定値表示領域６５ｃは、人体模式図６２の左下の表示領域である。
右上測定値表示領域６５ｄは、人体模式図６２の右上の表示領域である。
右下測定値表示領域６５ｅは、人体模式図６２の右下の表示領域である。
各測定値表示領域６５ａ〜６５ｅの詳細な表示態様は、後述する。
【００１９】
体幹評価レベル表示領域６６ａ、左上評価レベル表示領域６６ｂ、左下評価レベル表示領域６６ｃ、右上評価レベル表示領域６６ｄ、右下評価レベル表示領域６６ｅは、被検者Ｐ１の各部位の肥満に関する評価情報を表示する表示領域である。評価情報は、演算制御部９３（図６参照）が、被検者情報、測定結果等に基づいて判定する。
本実施形態では、評価情報の一例として、評価レベルをグラフ表示する。各評価レベル表示領域６６ａ〜６６ｅは、被検者Ｐ１の各部位の肥満の度合いの評価レベルを、全身評価レベル表示領域５１ｃと同様な形態で、９段階で表示する。
これらは、人体模式図６２の中心を中心として、放射状に配置されている。
体幹評価レベル表示領域６６ａは、人体模式図６２の上側の表示領域である。
左上評価レベル表示領域６６ｂは、人体模式図６２の左上の表示領域である。
左下評価レベル表示領域６６ｃは、人体模式図６２の左下の表示領域である。
右上評価レベル表示領域６６ｄは、人体模式図６２の右上の表示領域である。
右下評価レベル表示領域６６ｅは、人体模式図６２の右下の表示領域である。
各評価レベル表示領域６６ａ〜６６ｅの詳細な表示態様は、後述する。
【００２０】
上記構成により、部位別表示領域６０のうち人体模式図６２の左側の表示領域である左表示部６０Ｌは、左右方向表示領域６１ｂ、左上測定値表示領域６５ｂ、左下測定値表示領域６５ｃ、左上評価レベル表示領域６６ｂ、左下評価レベル表示領域６６ｃを有する。同様に、右側の表示領域である右表示部６０Ｒは、左右方向表示領域６１ｃ、右上測定値表示領域６５ｄ、右下測定値表示領域６５ｅ、右上評価レベル表示領域６６ｄ、右下評価レベル表示領域６６ｅを有する。
【００２１】
図５は、第１実施形態のケース取り付け部８０を説明する図である。
図５（ａ）は、正配置における表示ケース４０の取り付け形態を説明する図である。
図５（ａ１）は、正配置における取り付け形態を説明する上面図である。
図５（ａ２）は、正配置における取り付け形態を説明する断面図（図５（ａ１）のａ２−ａ２断面図）である。
図５（ａ３）は、正配置における取り付け形態を説明する裏面図である。
図５（ｂ）は、反転配置における表示ケース４０の取り付け形態を説明する図である。
図５（ｂ１）〜図５（ｂ３）は、それぞれ、図５（ａ１）〜図５（ａ３）に対応する図である。
ケース取り付け部８０は、表示ケース４０を支柱３０に取り付けるための構造である。
ケース取り付け部８０は、支柱先端部８１、取り付け穴８２、検出スイッチ８３（検出部）を有する。
支柱先端部８１は、支柱３０の先端に設けられた左右方向Ｘに長い直方体の部分である。支柱先端部８１は、右側Ｘ２に鉛直方向に貫通する貫通孔８１ａを有する。
取り付け穴８２は、表示ケース４０の裏面に設けられた左右方向Ｘに長い溝である。表示ケース４０は、取り付け穴８２に支柱先端部８１を挿入されて、支柱３０に着脱可能に装着される。
支柱先端部８１、取り付け穴８２の外形は、左右対称である。このため、表示ケース４０は、正配置の状態（図５（ａ）参照）でも、正配置の状態から左右の表示が左右逆転するようにＸＹ平面内で１８０°回転した反転配置の状態（図５（ｂ）参照）でも、支柱３０に装着できるようになっている。
【００２２】
検出スイッチ８３は、取り付け穴８２内に突出するように設けられた押スイッチである。検出スイッチ８３は、電気接点等を備えており、オン、オフの情報を演算制御部９３（図６参照）に出力する。正配置の状態において、検出スイッチ８３は、取り付け穴８２の左側Ｘ１の領域に配置され、支柱先端部８１に押圧されてオンとなる。一方、表示ケース４０が支柱３０が取り外された状態では、検出スイッチ８３は、オフとなる。また、反転配置の状態でも、検出スイッチ８３は、支柱先端部８１内の貫通孔８１ａに配置されオフとなる。
これにより、検出スイッチ８３は、オン、オフに基づいて、表示ケース４０が正配置で取り付けられているか否か、反転配置で取り付けられているか否かを、検出できる。また、検出スイッチ８３は、表示ケース４０が支柱３０から取り外されている場合にも、オフとなるので、反転配置の場合と同様な検出を行う。
【００２３】
図６は、第１実施形態の生体測定装置１のブロック図である。
生体測定装置１は、前述したハードウェアの他に、体重測定回路９０、生体インピーダンス測定回路９１、記憶部９２、演算制御部９３を備える。図６には、これらが、表示ケース４０内に設けられている例を図示するが、測定台２内部等に収容されていてもよい。
体重測定回路９０は、演算制御部９３からの命令に応じて被検者Ｐ１の体重を測定するための電気回路等である。体重測定回路９０は、体重測定部１０のアナログ出力を増幅し、デジタル信号に変換して、演算制御部９３に出力する。
これにより、体重測定部１０、体重測定回路９０からなる生体情報測定部は、被検者Ｐ１の体重を測定できる。
【００２４】
生体インピーダンス測定回路９１は、演算制御部９３からの命令に応じて測定を行う電気回路等である。生体インピーダンス測定回路９１は、左足置き部１１、右足置き部１２、左グリップ２１、右グリップ２２の電流印加電極１１ａ，１２ａ，２１ａ，２２ａのうち指定された２つの間に特定の周波数の高周波電流を印加する。そして、生体インピーダンス測定回路９１は、指定された２つの電圧測定電極１１ｂ，１２ｂ，２１ｂ，２２ｂ間の電圧、すなわち、被検者Ｐ１の指定された２部位間の生体インピーダンスに起因する電圧を測定し、その電圧測定結果をデジタル信号で演算制御部９３に出力する。
これにより、電流印加電極１１ａ，１２ａ，２１ａ，２２ａ、電圧測定電極１１ｂ，１２ｂ，２１ｂ，２２ｂ、生体インピーダンス測定回路９１からなる生体情報測定部は、被検者Ｐ１の各部位の生体インピーダンスを測定できる。
【００２５】
記憶部９２は、生体測定装置１の動作に必要な情報や、プログラム等を記憶するためのハードディスク、半導体メモリ素子等の記憶装置である。記憶部９２は、例えば、表示モードの設定、被検者Ｐ１の測定値、測定履歴等を記録する。
演算制御部９３は、生体測定装置１を統括的に制御する制御装置であり、例えばＣＰＵ（中央処理装置）等から構成される。
演算制御部９３は、例えば、体重測定回路９０の出力に基づいて、体重値の測定結果を演算したり、生体インピーダンス測定回路９１の出力に基づて、全身及び各部位の生体インピーダンスの測定結果を演算する。また、前述したように、演算制御部９３は、被検者情報、体重値、生体インピーダンスの測定結果等に基づいて、全身及び各部位の評価レベルを判定する。
【００２６】
図３、図４を参照して、生体測定装置１の表示モードについて説明する。
図３、図４は、被検者Ｐ１の同じ測定結果を、表示モードを変えて表示した例である。
演算制御部９３は、検出スイッチ８３のオン、オフの出力に基づいて、第１モード、第２モードから表示モードを選択し、以下のように表示制御する。
（第１モード）
図３に示すように、第１モードでは、各部位の測定結果は、以下の態様で表示する。
・体幹測定値表示領域６５ａ：被検者Ｐ１の体幹の体脂肪率
・左上測定値表示領域６５ｂ：被検者Ｐ１の左上肢の体脂肪率
・左下測定値表示領域６５ｃ：被検者Ｐ１の左下肢の体脂肪率
・右上測定値表示領域６５ｄ：被検者Ｐ１の右上肢の体脂肪率
・右下測定値表示領域６５ｅ：被検者Ｐ１の右下肢の体脂肪率
・体幹評価レベル表示領域６６ａ：被検者Ｐ１の体幹の評価レベル
・左上評価レベル表示領域６６ｂ：被検者Ｐ１の左上肢の評価レベル
・左下評価レベル表示領域６６ｃ：被検者Ｐ１の左下肢の評価レベル
・右上評価レベル表示領域６６ｄ：被検者Ｐ１の右上肢の評価レベル
・右下評価レベル表示領域６６ｅ：被検者Ｐ１の右下肢の評価レベル
このように、第１モードでは、左部位の各体脂肪率、評価レベルを、左表示部６０Ｌに表示し、かつ、右部位の各体脂肪率、評価レベルを、右表示部６０Ｒに表示する。
このため、第１モードは、表示ケース４０が正配置の場合に（図１（ａ）参照）、被検者Ｐ１等が分かりやすい。
また、選択モード表示領域６１ａには、「第１モード」と表示し、左側の左右方向表示領域６１ｂには、「左部位」、右側の左右方向表示領域６１ｃには、「右部位」と表示して、被検者Ｐ１等が、表示モード、表示方向を簡単に理解できるようにしている。
【００２７】
（第２モード）
図４に示すように、第２モードでは、各部位の測定結果は、以下の態様で表示する。
・体幹測定値表示領域６５ａ：被検者Ｐ１の体幹の体脂肪率
・左上測定値表示領域６５ｂ：被検者Ｐ１の右上肢の体脂肪率
・左下測定値表示領域６５ｃ：被検者Ｐ１の右下肢の体脂肪率
・右上測定値表示領域６５ｄ：被検者Ｐ１の左上肢の体脂肪率
・右下測定値表示領域６５ｅ：被検者Ｐ１の左下肢の体脂肪率
・体幹評価レベル表示領域６６ａ：被検者Ｐ１の体幹の評価レベル
・左上評価レベル表示領域６６ｂ：被検者Ｐ１の右上肢の評価レベル
・左下評価レベル表示領域６６ｃ：被検者Ｐ１の右下肢の評価レベル
・右上評価レベル表示領域６６ｄ：被検者Ｐ１の左上肢の評価レベル
・右下評価レベル表示領域６６ｅ：被検者Ｐ１の左下肢の評価レベル
このように、第２モードでは、左部位の各体脂肪率、評価レベルを、右表示部６０Ｒに表示し、かつ、右部位の各体脂肪率、評価レベルを、左表示部６０Ｌに表示する。
このため、第２モードは、表示ケース４０が反転配置の場合（図１（ｂ）参照）、又はケース取り付け部８０から取り外し検者Ｐ２等が把持している状態で、検者Ｐ２が被検者Ｐ１に対向するように位置しているとき等に、検者Ｐ２等が分かりやすい。
また、選択モード表示領域６１ａには、「第２モード」と表示し、左側の左右方向表示領域６１ｂには、「右部位」、右側の左右方向表示領域６１ｃには、「左部位」と表示して、検者Ｐ２等が、表示モード、表示方向を簡単に理解できるようにしている。
【００２８】
次に、生体測定装置１の測定動作について説明する。
図７は、第１実施形態の生体測定装置１の測定処理を示すフローチャートである。
ここでは、以下の処理の前提として、表示モードが初期設定されているものとする。この初期設定では、測定前に、被検者Ｐ１等が操作部４１を操作して表示モードを選択でき、演算制御部９３が選択された表示モードを記憶部９２に記憶する。
【００２９】
Ｓ１において、演算制御部９３は、操作部４１等から被検者情報（身長、年齢等）の入力を受け付ける。
Ｓ２において、演算制御部９３は、体重測定回路９０を制御して体重測定を行い、被検者Ｐ１の全身の体重情報を取得する。演算制御部９３は、測定結果を記憶部９２に記憶する。
Ｓ３において、演算制御部９３は、生体インピーダンス測定回路９１を制御して、被検者Ｐ１の各部位の生体インピーダンスを測定して取得する。
Ｓ４において、演算制御部９３は、全身の体重、各部位の生体インピーダンスに基づいて、全身の体脂肪率、及び各部位の体脂肪率を算出して記憶部９２に記憶する。また、演算制御部９３は、体脂肪率、被検者情報等に基づいて、被検者Ｐ１の全身、各部位の評価レベルを算出して、記憶部９２に記憶する。
【００３０】
Ｓ５において、演算制御部９３は、検出スイッチ８３の出力に基づいて、表示ケース４０が正配置か否かを判定する。演算制御部９３は、図５（ａ）のように、検出スイッチ８３の出力がオンであり、表示ケース４０が正配置であると判定した場合（Ｓ５：ＹＥＳ）、Ｓ６に進む。一方、演算制御部９３は、図５（ｂ）のように、検出スイッチ８３の出力がオフであり、正配置ではないと判定した場合（Ｓ５：ＮＯ）、つまり、表示ケース４０が反転配置である場合、又は取り外されていると判定した場合には、Ｓ５ａに進む。
【００３１】
Ｓ５ａにおいて、演算制御部９３は、測定結果を、表示部５０に第２モードで表示する。
前述したように、第２モードでは、検者Ｐ２等が被検者Ｐ１に対向するように位置している場合等に、検者Ｐ２等に対して分かりやすく測定結果を表示できる。
【００３２】
Ｓ６において、演算制御部９３は、初期設定が第１モードであるか否かを判定する。演算制御部９３は、初期設定が第１モードであると判定した場合には（Ｓ６：ＹＥＳ）、Ｓ７に進み、一方、初期設定が第１モードではないと判定した場合（Ｓ６：ＮＯ）、つまり、初期設定が第２モードである場合には、Ｓ５ａに進む。
【００３３】
Ｓ７において、演算制御部９３は、測定結果を、表示部５０に第１モードで表示する。
前述したように、第１モードでは、測定位置にいる被検者Ｐ１等に対して分かりやすく測定結果を表示できる。
【００３４】
Ｓ８において、演算制御部９３は、モード切り替えボタン４１ａが操作されたか否かを判定する。演算制御部９３は、モード切り替えボタン４１ａが操作されたと判定した場合には（Ｓ８：ＹＥＳ）、Ｓ８ａに進み、一方、モード切り替えボタン４１ａが操作されていないと判定した場合には（Ｓ８：ＮＯ）、Ｓ９に進む。
Ｓ８ａにおいて、演算制御部９３は、表示モードを切り替える。
これにより、被検者Ｐ１、検者Ｐ２は、測定結果が既に表示中であっても、自分が見やすいように、その表示モードを切り替えることができる。
【００３５】
Ｓ９において、演算制御部９３は、測定結果の表示を終了するか否かを判定する。演算制御部９３は、この判定を、例えば、測定結果を表示してから所定時間経過したか否か、電源ボタンが操作されたか否か等に基づいて行う。演算制御部９３は、表示を終了すると判定した場合には（Ｓ９：ＹＥＳ）、Ｓ１０に進み、一方、表示を終了しないと判定した場合には（Ｓ９：ＮＯ）、Ｓ８からの処理を繰り返す。
Ｓ１０において、演算制御部９３は、一連の処理を終了する。
【００３６】
なお、演算制御部９３は、測定結果の表示を継続している場合に、検出スイッチ８３のオン、オフの検出が切り替わったときに、表示モードを切り替えてもよい。
すなわち、測定開始時には、表示ケース４０が正配置であり第１モードであった場合でも、測定中に取り外されたり、さらに反転配置にされたときには、演算制御部９３は、第２モードに切り替える。
これにより、例えば、測定開始時には、被検者Ｐ１が見やすいように表示ケース４０が配置されており、後の測定中に、検者Ｐ２が測定結果を確認するような場面でも、生体測定装置１は、検者Ｐ２が見やすいように、表示モードを自動的に切り替えることができる。
【００３７】
あるいは、測定開始時には、表示ケース４０が取り外されていたり、反転配置にされ、第２モードであった場合でも、測定中に正位置にされたときには、演算制御部９３は、検出スイッチ８３の出力に基づいて、第２モードから第１モードに切り替える。
これにより、例えば、測定開始時には、検者Ｐ２が見やすいように反転配置に配置されており、後の測定中に、被検者Ｐ１が測定結果を確認するような場面でも、生体測定装置１は、被検者Ｐ１が見やすいように、表示モードを自動的に切り替えることができる。
【００３８】
以上説明したように、本実施形態の生体測定装置１は、表示モードを相互に変更して、各部位の測定結果を、被検者Ｐ１、検者Ｐ２等が分かりやすい方向に表示できる。
【００３９】
（第２実施形態）
次に、本発明の第２実施形態について説明する。
なお、以下の説明及び図面において、前述した第１実施形態と同様の機能を果たす部分には、同一の符号又は末尾に同一の符号を付して、重複する説明を適宜省略する。
図８は、第２実施形態の生体測定装置２０１の斜視図である（図１に対応する図）。
生体測定装置２０１は、発光部２１１ｄ，２２１ｄ（目印）を備える。
発光部２１１ｄは、被検者Ｐ１の左部位に対応した位置である左足置き部２１１の先端に設けられている。
同様に、発光部２２１ｄは、被検者Ｐ１の左部位に対応した位置である左グリップ２２１の先端に設けられている。
発光部２１１ｄ，２２１ｄは、ＬＥＤ（発光ダイオード）を備え、１秒間隔程度で点灯するようになっている。
【００４０】
図９は、第２実施形態の第１モードの表示態様を説明する上面図である（図３に対応する図）。
図１０は、第２実施形態の第２モードの表示態様を説明する上面図である（図４に対応する図）。
図９に示すように、第１モードにおいて、人体模式図２６２の左側の腕先端２６２ｂ、足先端２６２ｃ（目印対応表示部）は、１秒間隔程度で点灯表示するようになっている。
制御部（図６に示す演算制御部９３参照）は、第１モードにおいては、発光部２１１ｄ，２２１ｄに同期させて、人体模式図２６２の腕先端２６２ｂ、足先端２６２ｃを点灯表示する。
このため、被検者Ｐ１、検者Ｐ２等は、被検者Ｐ１の左部位の発光部２１１ｄ，２２１ｄと、人体模式図２６２の腕先端２６２ｂ、足先端２６２ｃとの対応を容易に理解できる。これにより、被検者Ｐ１、検者Ｐ２は、第１モードにおいては、左部位の測定結果は、左表示部６０Ｌに表示されることを、容易に理解できる。
【００４１】
図１０に示すように、同様に、第２モードにおいて、人体模式図２６２の右側の腕先端２６２ｄ、足先端２６２ｅ（目印対応表示部）は、点灯表示するようになっている。
制御部は、第２モードにおいては、発光部２１１ｄ，２２１ｄに同期させて、人体模式図２６２の腕先端２６２ｄ、足先端２６２ｅを点灯表示する。これにより、被検者Ｐ１、検者Ｐ２は、左部位の測定結果は、右表示部６０Ｒに表示されることを、容易に理解できる。
【００４２】
以上説明したように、本実施形態の生体測定装置２０１は、人体模式図２６２の左側の腕先端２６２ｂ、足先端２６２ｃと、右側の腕先端２６２ｄ、足先端２６２ｅとを、第１モード、第２モード間で切り替えて、発光部２１１ｄ，２２１ｄに同期させて点灯する。これにより、被検者Ｐ１、検者Ｐ２等は、いずれの表示モードであっても、被検者Ｐ１の測定部位を容易に判別できる。
【００４３】
以上、本発明の実施形態について説明したが、本発明は前述した実施形態に限定されるものではなく、種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態は、適宜組み合わせて用いることもできるが、詳細な説明は省略する。
【符号の説明】
【００４４】
１，２０１…生体測定装置    ２…測定台    １０…体重測定部    １１…左足置き部    １１ａ，１２ａ，２１ａ，２２ａ…電流印加電極    １１ｂ，１２ｂ，２１ｂ，２２ｂ…電圧測定電極    １２…右足置き部    ２１…左グリップ    ２２…右グリップ    ３０…支柱    ４０…表示ケース    ４１ａ…モード切り替えボタン    ５０…表示部    ６０…部位別表示領域    ６０Ｌ…左表示部    ６０Ｒ…右表示部    ６１…モード表示領域    ６１ａ…選択モード表示領域    ６１ｂ，６１ｃ…左右方向Ｘ表示領域    ６５ａ…体幹測定値表示領域    ６５ｂ…左上測定値表示領域    ６５ｃ…左下測定値表示領域    ６５ｄ…右上測定値表示領域    ６５ｅ…右下測定値表示領域    ６６ａ…体幹評価レベル表示領域    ６６ｂ…左上評価レベル表示領域    ６６ｃ…左下評価レベル表示領域    ６６ｄ…右上評価レベル表示領域    ６６ｅ…右下評価レベル表示領域    ８０…ケース取り付け部    ８１…支柱先端部    ８２…取り付け穴    ８３…検出スイッチ    ２１１ｄ，２２１ｄ…発光部    ２６２…人体模式図    ２６２ｂ，２６２ｄ…腕先端    ２６２ｃ，２６２ｅ…足先端
【図１】
2014036717.tif 000003
【図２】
2014036717.tif 000004
【図３】
2014036717.tif 000005
【図４】
2014036717.tif 000006
【図５】
2014036717.tif 000007
【図６】
2014036717.tif 000008
【図７】
2014036717.tif 000009
【図８】
2014036717.tif 000010
【図９】
2014036717.tif 000011
【図１０】
2014036717.tif 000012